(57)【特許請求の範囲】
【請求項１】
輪状をなすと共に端子ピン保持部(7)を有するレゾルバステータ(1)の外面に、ねじカラー(21)及び／又はカラー(20)を有する取付用カバー部材(30)を樹脂で一体成形するようにしてなる樹脂一体成形型レゾルバステータ構造において、
前記ねじカラー(21)及び／又はカラー(20)は、予め製作されたフレーム体(40)に設けられ、前記フレーム体(40)は前記取付用カバー部材(30)内にインサート成形されているように構成したことを特徴とする樹脂一体成形型レゾルバステータ構造。
【請求項２】
前記フレーム体(40)は、樹脂又は金属からなる非磁性材よりなることを特徴とする請求項１記載の樹脂一体成形型レゾルバステータ構造。
【請求項３】
前記フレーム体(40)は、前記レゾルバステータ(1)の外周の形状に合わせて弧状又は円弧状をなしていることを特徴とする請求項１又は２記載の樹脂一体成形型レゾルバステータ構造。
【発明の詳細な説明】
【技術分野】
【０００１】
本発明は、樹脂一体成形型レゾルバステータ構造に関し、特に、端子ピン保持部を有するレゾルバステータの外面に取付用カバー部材を樹脂一体成形する際に、予め製作済みで、かつ、ねじカラー及び又はカラーを有するフレーム体をインサート成形して構成するための新規な改良に介する。
【背景技術】
【０００２】
従来、用いられていたこの種の樹脂一体成形型レゾルバステータ構造としては、例えば、図３及び図４で示される構成を挙げることができる。すなわち、特許文献１で示される図４のレゾルバステータ１の外面に、図３で示されるように、取付用カバー部材３０が樹脂一体成形によって形成されている。
また、図４における前記レゾルバステータ１の内壁には、内方に向けて突出する突出磁極２がスロット２ａを介して内周に配置されている。
【０００３】
前記各突出磁極２の外周には、輪状絶縁カバー３を介してステータ巻線５が巻回されている。
前記各輪状絶縁カバー３の一部には、前記レゾルバステータ１の半径方向に沿って一体に突出する端子ピン保持部７が形成され、この端子ピン保持部７には、前記ステータ巻線５の端線５ａをからげるための複数の端子ピン６が設けられている。
【０００４】
前述の図４で示したレゾルバステータ１を、例えば、車、ロボット、工作機等に装着するためには、図３で示されるように、前記レゾルバステータ１を図示しない射出成形機の金型内に設置し、カラー２０及び／又はねじカラー２１と共に樹脂一体成形によって、前記レゾルバステータ１の外面に取付用カバー部材３０を設ける必要がある。
前記取付用カバー部材３０のカラー２０及び／又はねじカラー２１に図示しない取付ねじを用いることによって、他の部材に取付けることができる。
【先行技術文献】
【特許文献】
【０００５】
【特許文献１】特開２００４−１３５４０６号公報
【発明の概要】
【発明が解決しようとする課題】
【０００６】
従来の樹脂一体成形型レゾルバステータ構造は、以上のように構成されていたため、次のような課題が存在していた。
すなわち、射出成形時にインサート成形されたねじカラー及びカラーは、その周辺がウェルドラインになりやすく、樹脂一体成形品の弱点であった。
また、前述のように、ねじカラー及びカラーを一体成形することなく、前記レゾルバステータ１に取付用カバー部材３０のみを成形した場合、成形後に、前記ねじカラー２１及びカラー２０を超音波振動圧入によって前記取付用カバー部材３０に取付ける方法があるが、厳格な位置寸法公差に対応できないことがあった。
また、取付け用の固定点が多い部品の場合には、必要とされるねじカラー２１及びカラー２０の個数が増え、コスト高を招くことになっていた。
また、前述の超音波振動による圧入の場合、ねじカラー２１及びカラー２０の周辺は寸法制約を受けるため、レゾルバの小型化への障害となることもあった。
【０００７】
本発明は、以上のような課題を解決するためになされたもので、特に、端子ピン保持部を有するレゾルバステータの外面に、取付用カバー部材を樹脂一体成形で形成する際に、その一部に予め製作済みでねじカラー及び／又はカラーを有するフレーム体をインサート成形し、取付位置精度の向上を得るようにした樹脂一体成形型レゾルバステータ構造を提供することを目的とする。
【課題を解決するための手段】
【０００８】
本発明による樹脂一体成形型レゾルバステータ構造は、輪状をなすと共に端子ピン保持部を有するレゾルバステータの外面に、ねじカラー及び／又はカラーを有する取付用カバー部材を樹脂で一体成形するようにしてなる樹脂一体成形型レゾルバステータ構造において、前記ねじカラー及び／又はカラーは、予め製作されたフレーム体に設けられ、前記フレーム体は前記取付用カバー部材内にインサート成形されている構成であり、また、前記フレーム体は、樹脂又は金属からなる非磁性材よりなる構成であり、また、前記フレーム体は、前記レゾルバステータの外周の形状に合わせて弧状又は円弧状をなしている構成である。
【発明の効果】
【０００９】
本発明による樹脂一体成形型レゾルバステータ構造は、以上のように構成されているため、次のような効果を得ることができる。
すなわち、輪状をなすと共に端子ピン保持部を有するレゾルバステータの外面に、ねじカラー及び／又はカラーを有する取付用カバー部材を樹脂で一体成形するようにしてなる樹脂一体成形型レゾルバステータ構造において、前記ねじカラー及び／又はカラーは、予め製作されたフレーム体に設けられ、前記フレーム体は前記取付用カバー部材内にインサート成形されているように構成したことにより、ねじカラー及び／又はカラーは、予めフレーム体に形成されているため、射出成形時の金型内におけるフレーム体の位置ずれが発生しない限り、レゾルバステータに対するフレーム体の位置ずれは発生することがなく、さらに、ねじカラー及び／又はカラーの位置ずれや変形等もなく、高精度の樹脂一体成形型レゾルバステータ構造を得ることができる。
また、前記フレーム体は、樹脂又は金属からなる非磁性材よりなることにより、フレーム体の製作も極めて容易である。
また、前記フレーム体は、前記レゾルバステータの外周の形状に合わせて弧状又は円弧状をなしていることにより、射出成形時における金型内での位置決めが容易となる。
【図面の簡単な説明】
【００１０】
【図１】本発明による樹脂一体成形型レゾルバステータ構造を示す斜視図である。
【図２】図１におけるフレーム体を示す拡大斜視図である。
【図３】従来の樹脂一体成形型レゾルバステータ構造を示す斜視図である。
【図４】図３の樹脂一体成形型レゾルバステータ構造におけるレゾルバステータを示す拡大平面図である。
【発明を実施するための形態】
【００１１】
本発明は、端子ピン保持部を有するレゾルバステータの外面に、取付用カバー部材を樹脂一体成形で形成する際に、予め製作済みで、かつ、ねじカラー及び／又はカラーを有するフレーム体をインサート成形することにより、取付位置精度の向上を得ることである。
【実施例】
【００１２】
以下、図面と共に本発明による樹脂一体成形型レゾルバステータ構造の好適な実施の形態について説明する。
尚、従来例と同一又は同等部分には、同一符号を付して説明する。
図１において、符号１で示されるものは、前述の図４で示される構成と同一構成のレゾルバステータであり、このレゾルバステータ１は、前述の図４の構成の説明において説明しているため、同一部分に同一符号を付し、その説明は省略するものとする。
前記レゾルバステータ１の外側には、図２で示されるような円弧状又は弧状をなすフレーム体４０が配設されている。
【００１３】
前記フレーム体４０は、樹脂又は金属からなる非磁性材よりなり、その形状は、レゾルバステータ１に合わせて円弧状又は弧状で構成されていると共に、成形又は金属加工によって予め製作されており、ねじカラー及び／又はカラー２０が予め形成されている。
次に、前記フレーム体４０を用いて、図示しない射出成形機によって本発明によるレゾルバステータ構造５０を製作する場合について説明する。
まず、図示しない射出成形機の金型内に、図示しない中子等を介してレゾルバステータ１に樹脂がかからないようにし、このレゾルバステータ１の外側に前記フレーム体４０を配設する。
次に、前記金型を型閉し、図示しない押出機から溶融樹脂を前記金型内に射出することにより、前記端子ピン保持部７及び前記フレーム体４０の外側に溶融樹脂が供給されると、前記取付用カバー部材３０と共に前記レゾルバステータ１とフレーム体４０がインサート成形され、樹脂一体成形によるレゾルバステータ構造５０が形成される。
【００１４】
前述のように樹脂一体成形による前記レゾルバステータ構造５０は、図１に示す完成状態においては、前記フレーム体４０にねじカラー２１及びカラー２０が既に強固にかつ、所定位置に形成されているため、インサート成形が所定通り行われれば、製造の歩留まりを１００％近くとすることができる。
【００１５】
本発明による樹脂一体成形型レゾルバステータ構造の要旨とするところは、以下の通りである。
すなわち、輪状をなすと共に端子ピン保持部７を有するレゾルバステータ１の外面に、ねじカラー２１及び／又はカラー２０を有する取付用カバー部材３０を樹脂で一体成形するようにしてなる樹脂一体成形型レゾルバステータ構造において、前記ねじカラー２１及び／又はカラー２０は、予め製作されたフレーム体４０に設けられ、前記フレーム体４０は前記取付用カバー部材３０内にインサート成形されているように構成した構成であり、また、前記フレーム体４０は、樹脂又は金属からなる非磁性材よりなる構成であり、また、前記フレーム体４０は、前記レゾルバステータ１の外周の形状に合わせて弧状又は円弧状をなしている構成である。
【産業上の利用可能性】
【００１６】
本発明による樹脂一体成形型レゾルバステータ構造は、レゾルバステータの外側に取付用カバー部材を樹脂一体成形する際に、ねじカラー及び／又はカラーを有するフレーム体を同時にインサート成形するため、ねじカラーとカラーは設計通りの位置に設けることができ、レゾルバステータを他の装置に取付ける場合の取付精度を大幅に向上できる。
【符号の説明】
【００１７】
１    レゾルバステータ
６    端子ピン
７    端子ピン保持部
２０    カラー
２１    ねじカラー
３０    取付用カバー部材
４０    フレーム体
【図１】
0006503588.tif 000002
【図２】
0006503588.tif 000003
【図３】
0006503588.tif 000004
【図４】
0006503588.tif 000005